(57)【要約】  【目的】地図データ更新用ディスク記録媒体の転用を防止するカーナビゲーション装置を提供する。  【構成】カーナビゲーション装置１０は、演算処理装置１、内蔵記憶媒体Ｍの読み出し・書き込み手段２、ディスク再生装置３、表示装置４を備え、更新用の地図データＤｍを記録した読み出し専用の更新用ディスク記録媒体６がディスク再生装置３に挿入され、内蔵記憶媒体Ｍに書き込まれる構成であり、更新時から第１のタイマーＴ１をスタートさせ、所定期間ｔ１経過後に更新用ディスク記録媒体６の再度挿入を要求し、第２のタイマーＴ２をスタートして一定時間ｔ２内に挿入を検知し同一性を確認した場合は、地図データＤｍによるナビゲーションを継続使用可能としてタイマーＴ１、Ｔ２をリセットしてタイマーＴ１をスタートさせ、挿入要求後、一定時間ｔ２内に挿入と同一性を確認しない場合は、地図データＤｍによるナビゲーションの使用を制限する。【選択図】  図１
2006322778.tif 000002
【特許請求の範囲】
【請求項１】
内蔵記憶媒体に対して地図データの読み出し・書き込みを行う読み出し・書き込み手段と、前記地図データに基づきカーナビゲーション動作を実行するカーナビゲーション演算処理装置と、ディスク再生装置と、表示装置と、を備えたカーナビゲーション装置において、
前記内蔵記憶媒体に既に書き込まれている地図データに対する更新用の地図データを記録した読み出し専用の更新用ディスク記録媒体が前記ディスク再生装置に挿入され、前記ディスク再生装置によって読み出された前記更新用の地図データが前記読み出し・書き込み手段によって前記内蔵記憶媒体に書き込まれることにより地図データの更新が行われた際に、前記地図データの更新時を起点として所定期間経過後毎に、前記更新用ディスク記録媒体の前記ディスク再生装置への再度の挿入要求である更新用ディスク挿入要求を音声出力又は前記表示装置による表示にて行う更新用ディスク挿入要求手段と、
前記更新用ディスク挿入要求が行われる毎に、その更新用ディスク挿入要求時から一定時間内に、前記ディスク再生装置に対する前記更新用ディスク記録媒体の挿入が検知されるとともに、その挿入された前記更新用ディスク記録媒体が前回の更新時の更新用ディスク記録媒体との同一性が検知された場合は、同一性の検知された前記更新用ディスク記録媒体によって更新された地図データによるカーナビゲーション動作を継続して行わせるようにする継続使用認可手段と、
前記ディスク挿入要求時から一定時間内に前記更新用ディスク記録媒体の前記挿入又は前記同一性が検知されない場合は、前記内蔵記憶媒体に記録され更新された地図データに基づくカーナビゲーション動作を制限させる使用制限手段と、
を設けたことを特徴とするカーナビゲーション装置。
【発明の詳細な説明】
【技術分野】
【０００１】
本発明は、内蔵記憶媒体に地図データを格納したカーナビゲーション装置の技術分野に属する。
【背景技術】
【０００２】
近年、カーナビゲーション装置（カーナビゲーションシステムとも称する。）では、ルート検索性能向上のための高速なデータアクセスの実現や、大量の地図データを格納可能とする記録媒体として、従来のＣＤやＤＶＤディスクに代わり、内蔵記憶媒体のハードディスクが使われてきている。
【０００３】
そのため、従来は地図データの更新に際しては、ＣＤやＤＶＤのディスク交換で済んでいたが、上記のような内蔵記憶媒体のハードディスクを地図データ格納の記録媒体とするカーナビゲーション装置では、前記ハードディスクに記録された地図データを書き換える作業が必要となっている。
【０００４】
現在のところ前記ハードディスクの地図データの書き換えは、当該ハードディスクをその読み出し・書き込み手段としてのハードディスクドライブごと装置から取り出して専用の機器で書き込む方法や、更新用ＤＶＤディスクをユーザーに販売し、ユーザーがカーナビゲーション装置に備わるディスク再生装置によって前記更新用ＤＶＤディスクから地図データを読み取ってハードディスクドライブにデータを転送しハードディスクの地図データを書き換える方法などが行われている。
【０００５】
ハードディスクに対する地図データの更新におけるユーザーの利便性を考えると、自動車に取り付けられたカーナビゲーション装置からハードディスクドライブを取り外して販売店に持参したり、製造メーカーに返送する等してデータ更新を行うよりも、更新用ＤＶＤディスクをユーザーが購入してそれをカーナビゲーション装置に備わるディスク再生装置に挿入するだけで、自ら更新できる後者の方式が勝っているといえる。
【０００６】
しかしながら、上記のようなユーザーによる更新用ＤＶＤディスクを用いた方式では、後述のようなユーザー側で当該カーナビゲーション装置以外のナビゲーション装置でも同じ更新用ディスクを用いてのデータ更新（更新用ディスクの転用）を可能にしてしまうことになる。
【０００７】
この点、カーナビゲーション装置における地図データ更新の際の更新用ディスクの転用防止に関する公知文献は見当たらないが、例えば下記［特許文献１］には、機能追加や制御プログラム更新のためにプログラムをアップデートすることのできる電子楽器におけるコピー防止の技術が開示されている。
【０００８】
【特許文献１】特開平１０−１８７１５０号公報
【発明の開示】
【発明が解決しようとする課題】
【０００９】
内蔵記憶媒体のハードディスクを地図データ格納に用いているカーナビゲーション装置において、地図データ更新のために前述の更新用ディスクを用いる方式は、複数のユーザー間で１枚しか購入していない更新用ディスクを用いて、複数のカーナビゲーション装置のデータを順次更新してしまう可能性がある。
【００１０】
当然、更新用の地図データをディスクとして販売する側では、更新用ディスクはユーザー単位、若しくはカーナビゲーション装置１台ごとに購入してもらって地図データが更新されることを前提としており、更新用ディスクの転用を防止してユーザー毎に購入を促すようにすることが求められる。
【００１１】
この点、更新用の地図データを配布するディスク記録媒体が書き込み可能なディスク記録媒体であれば、１回データ更新に使用すると、更新した機器のデータを書き込んで、次回以降はこのデータと機器の認証ができないと更新ができなくする方法や、配布した更新用ディスク記録媒体内のデータ自体を更新後に直ちに自動消去してしまう方法などを適用することが可能である。
【００１２】
しかしながら、現在、安価で且つ多くのカーナビゲーション装置がアクセス可能な記録媒体としては、書き込み不可の読み出し専用のＣＤやＤＶＤである。ＣＤやＤＶＤには書き込み可能な記録媒体（ＣＤ−ＲＷ、ＤＶＤ−ＲＷ、ＤＶＤ−ＲＡＭなど）もあるが、カーナビゲーション装置では通常はデータの書き込みを必要とせず、ディスク記録再生装置を搭載していないため、これら書き込み可能なディスク記録媒体の利用は期待できない。
【００１３】
なお、読み出し専用のディスク記録媒体は、書き込み可能なＣＤやＤＶＤに、パーソナルコンピュータ等を使って複製が可能である。しかしながら、カーナビゲーション装置側では、これら複製されたディスクをプレスにより製造されたディスク（販売された真正のデータ更新用ディスク）と区別する技術は確立されて広く普及しており、複製されたディスクであることを判断して、データ更新を行わないようにすることは容易である。
【００１４】
しかしながら、複製ではなく真正の更新用ディスク自身を利用して複数のカーナビゲーション装置の地図データのデータ更新を行うこと（転用）は防止できない。更新用ディスク自体に書き込みができないため、データ更新に既に利用されたかどうかの判断がカーナビゲーション装置側では不可能なためである。
【００１５】
以上のように、ハードディスクに地図データを格納したカーナビゲーション装置では、地図データアクセスはハードディスクに対して行ってナビゲーション動作するため、一度ハードディスクの地図データの更新を行ってしまえば、更新用ディスクは不要となってしまうため、上記のような転用が可能であり、ユーザー毎の更新用ディスクの購入が促進されにくい一面を持っている。
【００１６】
一方、上記［特許文献１］の不正コピー防止の技術の要諦は、楽音データとバージョンアップのためのプログラムとの双方を１つの記憶媒体に記憶させて供給することにより、追加された楽音データを使用するためにはその記憶媒体が電子楽器に装着したままの状態に保存されることから、特にバージョンアップ用プログラムにプロテクトを施さなくても、その記憶媒体の、プログラムの不正コピーのための流通が阻止されるという点に存する。
【００１７】
而して、上記［特許文献１］の技術からは、本願発明の対象である内蔵記録媒体としてのハードディスクを地図データの記録媒体とするカーナビゲーション装置における地図データ更新の際の更新用ディスクの転用に対しては、有益な防止対策の示唆を得ることはできない。
【００１８】
本発明は上記事情に鑑みてなされたものであり、内蔵記憶媒体（典型としてハードディスク）に格納された地図データを書き換え不可の読み出し専用のディスク記録媒体で更新した後に、利用したディスク記録媒体を可及的に転用されないようにしてユーザー毎の購入を促進するように施されたカーナビゲーション装置を提供することを目的とする。
【課題を解決するための手段】
【００１９】
本発明は、内蔵記憶媒体Ｍに対して地図データＤ１の読み出し・書き込みを行う読み出し・書き込み手段２と、前記地図データＤ１に基づきカーナビゲーション動作を実行するカーナビゲーション演算処理装置１と、ディスク再生装置３と、表示装置４と、を備えたカーナビゲーション装置において、前記内蔵記憶媒体Ｍに既に書き込まれている地図データＤ１に対する更新用の地図データＤｍを記録した読み出し専用の更新用ディスク記録媒体６が前記ディスク再生装置３に挿入され、前記ディスク再生装置３によって読み出された前記更新用の地図データＤｍが前記読み出し・書き込み手段２によって前記内蔵記憶媒体Ｍに書き込まれることにより地図データＤ１の更新が行われた際に、前記地図データＤ１の更新時を起点として所定期間ｔ１経過後毎に、前記更新用ディスク記録媒体６の前記ディスク再生装置３への再度の挿入要求である更新用ディスク挿入要求を音声出力又は前記表示装置４による表示にて行う更新用ディスク挿入要求手段と、前記更新用ディスク挿入要求が行われる毎に、その更新用ディスク挿入要求時から一定時間ｔ２内に、前記ディスク再生装置３に対する前記更新用ディスク記録媒体６の挿入が検知されるとともに、その挿入された前記更新用ディスク記録媒体６が前回の更新時の更新用ディスク記録媒体６との同一性が検知された場合は、同一性の検知された前記更新用ディスク記録媒体６によって更新された地図データＤ２によるカーナビゲーション動作を継続して行わせるようにする継続使用認可手段と、前記ディスク挿入要求時から一定時間ｔ２内に前記更新用ディスク記録媒体６の前記挿入又は前記同一性が検知されない場合は、前記内蔵記憶媒体Ｍに記録され更新された地図データＤ２に基づくカーナビゲーション動作を制限させる使用制限手段と、を設けたことを特徴とするカーナビゲーション装置１０、を提供することにより上記課題を解決する。
【発明の効果】
【００２０】
本発明に係るカーナビゲーション装置は、上記のように内蔵記憶媒体に記録された地図データの更新を更新用ディスク記録媒体を用いて行った後に、一定期間毎にカーナビゲーション装置が同一の更新用ディスク記録媒体の再度挿入・読み出しを要求することにより、複数のカーナビゲーション装置で同一の更新用ディスク記録媒体の転用を困難にし、利用者毎（カーナビゲーション装置毎）に更新用ディスク記録媒体の購入を促すことができる。
【発明を実施するための最良の形態】
【００２１】
本発明に係るカーナビゲーション装置の実施の形態について図面に基づいて説明する。
【００２２】
図１は本発明に係るカーナビゲーション装置のブロック図である。図２は本発明に係るカーナビゲーション装置の地図データの更新処理のフローチャートである。図３は本発明に係るカーナビゲーション装置における地図データ更新用ディスク記録媒体の再度の挿入要求と確認処理のフローチャートである。
【００２３】
図１に示されるカーナビゲーション装置１０は、内蔵記憶媒体Ｍとしてのハードディスクに対して地図データＤ１の読み出し・書き込みを行う読み出し・書き込み手段２としてのハードディスクドライブと、前記地図データＤ１に基づきカーナビゲーション動作を実行するカーナビゲーション演算処理装置１と、ディスク再生装置３と、表示装置４と、更にはキー入力装置５と、を備えたカーナビゲーション装置であり、特に、前記ハードディスクに既に書き込まれている地図データＤ１に対する更新用の地図データＤｍを記録した読み出し専用の更新用ディスク記録媒体６が前記ディスク再生装置３に挿入され、前記ディスク再生装置３によって読み出された前記更新用の地図データＤｍが前記ハードディスクドライブによって前記ハードディスクに書き込まれることにより地図データＤ１の更新が行われた際に、前記地図データＤ１の更新時を起点として所定期間ｔ１経過後毎に、前記更新用ディスク記録媒体６の前記ディスク再生装置３への再度の挿入要求である更新用ディスク挿入要求を音声出力又は前記表示装置４による表示にて行う更新用ディスク挿入要求手段と、前記更新用ディスク挿入要求が行われる毎に、その更新用ディスク挿入要求時から一定時間ｔ２内に、前記ディスク再生装置３に対する前記更新用ディスク記録媒体６の挿入が検知されるとともに、その挿入された前記更新用ディスク記録媒体６が前回の更新時の更新用ディスク記録媒体６との同一性が検知された場合は、同一性の検知された前記更新用ディスク記録媒体６によって更新された地図データＤ２によるカーナビゲーション動作を継続して行わせるようにする継続使用認可手段と、前記ディスク挿入要求時から一定時間ｔ２内に前記更新用ディスク記録媒体６の前記挿入又は前記同一性が検知されない場合は、前記ハードディスクに記録され更新された地図データＤ２に基づくカーナビゲーション動作を制限させる使用制限手段と、を設けた構成となっている。
【００２４】
上記更新用ディスク挿入要求手段には、例えば、ＧＰＳから受信した時間情報を利用したタイマー又はマイクロコンピュータ内臓のリアルタイムクロックを利用した２つのタイマーを用い、地図データの更新時から第１のタイマーＴ１をスタートさせて所定期間ｔ１経過後に、前記更新用ディスク記録媒体６の前記ディスク再生装置３への再度の挿入をナビゲーションの音声案内に用いられるスピーカの音声出力又は前記表示装置４による絵・文字表示にて要求する。
【００２５】
また、上記継続使用認可手段は、前記更新用ディスク挿入要求が行われる毎に、第２のタイマーＴ２をスタートし、更新用ディスク挿入要求時から一定時間ｔ２内に前記ディスク再生装置３が更新用ディスク記録媒体６の挿入を検知するとともに前回の更新時の更新用ディスク記録媒体６との同一性を確認した場合は、更新された地図データＤ２によるカーナビゲーションを継続して使用可能（制限の信号を出さない）とし、前記第２のタイマーＴ２をリセットするマイクロコンピュータ制御によって実現される。
【００２６】
また、上記使用制限手段は、前記更新用ディスク挿入要求後、前記第２のタイマーＴ２をスタートさせて、一定時間ｔ２内に前記更新用ディスク記録媒体６の挿入及び同一性を確認しない場合に、先に更新された地図データＤ２によるカーナビゲーションの使用を以後制限するようにマイクロコンピュータ制御することで実現される。
【００２７】
前記カーナビゲーション演算処理装置１はナビゲーション動作を機能させる主要部であり、ＧＰＳ装置、音声ガイド装置、方位センサ、メモリ、インターフェース、及びこれらの演算・制御を司るマイクロコンピュータ等を包含する。
【００２８】
また、前記ディスク再生装置３は、読み出し専用の更新用ディスク記録媒体６に格納された更新の地図データＤｍを読み出して前記カーナビゲーション演算処理装置１に出力するディスクドライブである。
【００２９】
また、前記読み出し・書き込み手段２としてのハードディスクドライブは主として地図データが格納される前記ハードディスクに対する読み出し・書き込み（書き換え）を行う磁気記憶装置であり、前記表示装置４はナビゲーションの地図や案内文、警告文の文字を表示する液晶、有機ＥＬ、ＣＲＴなどの表示装置であり、前記キー入力装置５はカーナビゲーション装置１０の本体前面の操作パネルに設けられたスイッチボタン或いはリモートコントローラなどのユーザーが操作する入力装置である。
【００３０】
また、前記更新用ディスク記録媒体６は、ピットディスクと呼ばれるプレスにより製造した読み出し専用のＣＤ−ＲＯＭやＤＶＤ−ＲＯＭ（プレスディスク）である。これには更新の地図データＤｍ以外にバージョン番号などのユニークなデータが記録されている。
【００３１】
なお、上記更新用ディスク記録媒体６の前記ディスク再生装置３への再度の挿入要求、挿入検知、同一性確認、使用制限する制御などはカーナビゲーション演算処理装置１におけるマイクロコンピュータのＣＰＵによるソフト制御で行われる。
【００３２】
以上の構成のカーナビゲーション装置１０における、ハードディスクに格納された地図データＤ１の更新用の地図データＤｍによる地図データＤ２への更新は、図２のフローチャートのように行われる。
【００３３】
即ち、前記カーナビゲーション演算処理装置１において、前記ディスク再生装置３にディスクが挿入されたことを検知すると（ステップＳ１）、それが読み出し専用の更新用ディスク記録媒体６であることを検知し（ステップＳ２）、それがコピーされたディスクではなくプレスディスクであることを確認すると（ステップＳ３）、当該適正な更新用ディスク記録媒体６から更新用の地図データＤｍを前記ディスク再生装置３によって読み出し、読み出し・書き込み手段２としてのハードディスクドライブでハードディスクの地図データＤ１を更新する（ステップＳ４）。
【００３４】
そして更新とほぼ同時に同一ディスクの再挿入要求のための前記第１のタイマーＴ１をスタートさせる（ステップＳ５）。
【００３５】
なお、上記ステップＳ２、Ｓ３において真正な更新用ディスク記録媒体６でないと検知された場合は、地図データの更新は行われないことは勿論である。
【００３６】
次に、上記ハードディスクに格納された地図データＤ１のＤ２への更新時からスタートした前記第１のタイマーＴ１が予め設定した所定期間ｔ１をカウントアップすると、前記カーナビゲーション演算処理装置１は図３に示されるフローチャートで当該更新時に挿入された前記更新用ディスク記録媒体６の前記ディスク再生装置３への再度の挿入を要求して前記更新用ディスク記録媒体６の他のカーナビゲーション装置への転用防止を図っている。
【００３７】
即ち、図３において、前記第１のタイマーＴ１が所定期間ｔ１をカウントアップすると（ステップＳ６）、更新用ディスク記憶媒体６の前記ディスク再生装置３への再度の挿入要求を前記表示装置４に表示するか、或いはスピーカからの音声出力で要求し（ステップＳ７）、これとほぼ同時に一定時間ｔ２をカウントアップ値とする第２のタイマーＴ２をスタートさせる（ステップＳ８）。
【００３８】
次に、ユーザー側が要求に応じて一定時間ｔ２（要求後にユーザーがこれを認知し当該更新用ディスク記録媒体６を挿入するに必要十分な時間、例えば２４時間から４８時間程度とする。）内にディスクを挿入し、この第２のタイマーＴ２がカウントアップする前にディスクの挿入が検知された場合には（ステップＳ９のＹｅｓ）、次に、挿入された当該ディスクが先に挿入されて更新に用いられた更新用ディスク記録媒体６と同一であるか否か（プレスディスクであること、バージョン番号が同じであること等で判定する。）を確認する（ステップＳ１０）。
【００３９】
次に、同一性が検知されて確認がとれた段階で、前記第１のタイマーＴ１と前記第２のタイマーＴ２をリセットして、且つ、前記第１のタイマーを再スタートさせる（ステップＳ１１）。
【００４０】
ここに、上記ステップＳ９において、前記第２のタイマーＴ２の一定時間ｔ２のカウントアップ前にディスクの挿入が検知されなかった場合（ステップＳ９のＮｏ）はユーザーが当該更新用ディスク記録媒体６を手元に保管しておらず、転用の可能性があるので、先に更新用データＤｍで更新された新しい地図データＤ２によるカーナビゲーションの使用を最も厳しい使用制限である使用停止（ステップＳ１２ａ）又は所定条件の下の使用のみに使用制限する処理（ステップＳ１２ｂ又はステップ１２ｃ又はステップ１２ｄ等）を行う。
【００４１】
なお、上記ステップＳ１０で、同一の更新用ディスク記録媒体６でないことが確認された場合には、同様にステップＳ１２に移行するなどしてナビゲーション装置１０の使用を制限することは勿論である。
【００４２】
上記のようなカーナビゲーション装置１０の構成によれば、ハードディスクドライブの地図データＤ１からＤ２への更新を行った後も一定期間ｔ１経過すると、更新に利用した更新用のＣＤ，ＤＶＤディスク記録媒体６に記録された地図データＤｍの情報を読み出さないとカーナビゲーション動作が制限されるので、これによりユーザーは常時データ更新に利用した更新用ディスク記録媒体６（ＣＤーＲＯＭ，ＤＶＤ−ＲＯＭ）を手元に保管することが求められ、１枚の更新用ディスク記録媒体６で複数のカーナビゲーション装置の地図データを更新しても、それらカーナビゲーション装置を継続して利用することが困難になり、転用を未然に防止して、利用者毎（カーナビゲーション装置毎）に更新用ディスク記録媒体の購入を促すことができる。
【００４３】
そして、上記更新用ディスク記録媒体６の再度の挿入要求の所定期間ｔ１の間隔を、ユーザーが煩雑と感じない程度の設定（２週間から３ヶ月程度）にすれば、利便性の低下も避けられるのである。
【００４４】
なお、ユーザーが更新用ディスク記録媒体６の車内などでの保管をうっかり忘れた場合も考え、要求が満たされなかった場合に直ちにナビゲーション装置の使用を最も厳しい使用停止とする（ステップＳ１２ａ）のではなく、所定条件の下に使用を緩やかに制限する処理（ステップＳ１２ｂ又はステップ１２ｃ又はステップ１２ｄなど）を行うほうがより現実的な手段と考えられる。
【００４５】
例えば、ディスク挿入要求時期の前に警告を出すことや、要求時点でユーザーが前記キー入力装置５のスキップボタンを押すことにより、回数制限したスキップ（一時回避）動作を行えるようにするなども、利便性の低下を防ぐ手段として挙げられる。この回数制限付きのスキップ機能の場合、スキップした後は、ステップＳ１２ｃのように再挿入要求の間隔（所定期間ｔ１）を徐々に短くするなど制限を強くする処理も有効であると考えられる。
【００４６】
また、万一、ユーザーが当該更新用ディスク記録媒体６を無くしてしまった場合に、ディスク挿入要求期限となり、以後カーナビゲーション装置１０が厳しく使用制限されてしまうのは問題があるため、前記内蔵記憶媒体としてのハードディスクの記憶容量に余裕がある場合は、例えば、ステップ１２ｂのように更新前の地図データＤ１を前記ハードディスクに残しておき、翻って更新前の前記地図データＤ１に戻ってカーナビゲーション装置１０が動作するように移行する等の処理も可能である。
【００４７】
また、ステップＳ１２ｄのようにユーザーがディスク挿入要求を満たせなかった場合には、ユーザーの居住する限定された地域でのみカーナビゲーション動作を認めるように制限することも有効である。
【図面の簡単な説明】
【００４８】
【図１】本発明に係るカーナビゲーション装置のブロック図である。
【図２】本発明に係るカーナビゲーション装置の地図データの更新処理のフローチャートである。
【図３】本発明に係るカーナビゲーション装置における地図データ更新用ディスク記録媒体の再度の挿入要求と確認処理のフローチャートである。
【符号の説明】
【００４９】
１    カーナビゲーション演算処理装置
２    読み出し・書き込み手段
３    ディスク再生装置
４    表示装置
５    キー入力装置
６    更新用ディスク記録媒体
１０    カーナビゲーション装置
Ｄ１    （更新前の）地図データ
Ｄ２    （更新後の）地図データ
Ｄｍ    更新用の地図データ
Ｍ    内蔵記憶媒体
Ｔ１    第１のタイマー
Ｔ２    第２のタイマー
ｔ１    所定期間
ｔ２    一定時間
【図１】
2006322778.tif 000003
【図２】
2006322778.tif 000004
【図３】
2006322778.tif 000005